(57)【要約】【課題】シンプルな構成によって画像ぼやけを抑制することができる画像表示装置の駆動装置を提供する。【解決手段】画像表示装置の駆動装置は、画像表示領域内に配列された複数の画素を有する画像表示装置を表示駆動する。データ振り分け手段は、現フレームの画像データと、現フレームに対して１フレーム前の画像データに対応するデータとに振り分け、補正手段は、１フレーム前の画像データに対応するデータに基づいてオーバードライブを行う。更に、書き込み手段は、オーバードライブを行った画像データとは別に、所定の階調を有するデータを書き込む。これにより、前フレームからのスタート階調を所定の範囲に限定することができる。よって、１フレーム前のデータを記憶させるフレームメモリの容量を削減でき、シンプルな構成によって画像ぼやけを抑制することが可能となる。【選択図】図５
2008292905.tif 000002
【特許請求の範囲】
【請求項１】
画像表示領域内に配列された複数の画素を有する画像表示装置を表示駆動するための駆動装置であって、
現フレームの画像データと、前記現フレームに対して１フレーム前の画像データに対応するデータとに振り分けるデータ振り分け手段と、
前記１フレーム前の画像データに対応するデータを記憶する記憶手段と、
前記現フレームの画像データを、前記記憶手段に記憶された前記１フレーム前の画像データに対応するデータに基づいてオーバードライブ補正する補正手段と、
前記補正手段によってオーバードライブ補正された画像データを前記画像表示装置に対して書き込むと共に、前記オーバードライブ補正された画像データとは別に所定の階調を有するデータを前記画像表示装置に対して書き込む処理を行う書き込み手段と、を備えることを特徴とする画像表示装置の駆動装置。
【請求項２】
前記データ振り分け手段は、元の画像データが有する情報量を削減することによって生成したデータを、前記１フレーム前の画像データに対応するデータとして出力することを特徴とする請求項１に記載の画像表示装置の駆動装置。
【請求項３】
前記データ振り分け手段は、前記所定の階調を有するデータにおける階調値、及び前記所定の階調を有するデータを書き込む時間の少なくともいずれかに基づいて、前記１フレーム前の画像データに対応するデータを生成することを特徴とする請求項１又は２に記載の画像表示装置の駆動装置。
【請求項４】
前記１フレーム前の画像データに対応するデータは、所定の階調によって表現されることを特徴とする請求項１乃至３のいずれか一項に記載の画像表示装置の駆動装置。
【請求項５】
前記書き込み手段は、前記オーバードライブ補正された画像データを書き込む前に前記所定の階調を有するデータを書き込むことによって、前フレームからのスタート階調を所定の範囲に限定することを特徴とする請求項１乃至４のいずれか一項に記載の画像表示装置の駆動装置。
【請求項６】
前記書き込み手段は、前記所定の階調を有するデータを挿入する表示画像上の領域を変化させることによって、前記スタート階調を調整することを特徴とする請求項５に記載の画像表示装置の駆動装置。
【請求項７】
前記書き込み手段は、前記所定の階調を有するデータとして、黒表示用のデータを書き込むことを特徴とする請求項１乃至６のいずれか一項に記載の画像表示装置の駆動装置。
【請求項８】
前記書き込み手段は、前記所定の階調を有するデータにおける階調値を変化させることによって、前記スタート階調を調整することを特徴とする請求項５に記載の画像表示装置の駆動装置。
【請求項９】
前記データ振り分け手段はセレクタであり、
前記記憶手段はフレームメモリであることを特徴とする請求項１乃至８のいずれか一項に記載の画像表示装置の駆動装置。
【請求項１０】
照明装置と、前記照明装置から射出される光を変調する請求項１乃至９のいずれか一項に記載の画像表示装置の駆動装置と、前記画像表示装置の駆動装置により変調された光を投射する投射装置と、を備えることを特徴とする投射型表示装置。
【請求項１１】
請求項１乃至９のいずれか一項に記載の画像表示装置の駆動装置を有することを特徴とする電子機器。
【請求項１２】
画像表示領域内に配列された複数の画素を有する画像表示装置を表示駆動するための駆動方法であって、
現フレームの画像データと、前記現フレームに対して１フレーム前の画像データに対応するデータとに振り分けるデータ振り分け工程と、
前記１フレーム前の画像データに対応するデータを記憶する記憶工程と、
前記現フレームの画像データを、前記記憶工程で記憶された前記１フレーム前の画像データに対応するデータに基づいてオーバードライブ補正する補正工程と、
前記補正工程によってオーバードライブ補正された画像データを前記画像表示装置に対して書き込むと共に、前記オーバードライブ補正された画像データとは別に所定の階調を有するデータを前記画像表示装置に対して書き込む処理を行う書き込み工程と、を備えることを特徴とする画像表示装置の駆動方法。
【発明の詳細な説明】
【技術分野】
【０００１】
本発明は、画像表示装置の駆動装置、その駆動方法並びに投射型表示装置、電子機器に関する。
【背景技術】
【０００２】
液晶表示装置などのホールド型表示の画像表示装置において、フレーム期間で同じ画像が表示されることによって、動画ぼやけが発生することが知られている。特許文献１には、画像表示期間を短くするインパルス型表示を適宜用いることによって、このような動画ぼやけを改善する技術が記載されている。具体的には、この技術では、画像データを書き込む前に黒表示用のデータを書き込む駆動方式（以下、「黒挿入駆動」又は「黒挿入」とも呼ぶ。）を用いることによって、画像表示期間を短くしている。
【０００３】
また、液晶表示装置における動画ぼやけの他の発生要因として、液晶応答の遅さがある。特許文献２には、現在の画像データの階調に対応する電圧よりも高い電圧を印加する「オーバードライブ」を用いることで、液晶の応答を速くすることによって、動画ぼやけを改善する技術が記載されている。
【０００４】
【特許文献１】特開２００５−４９８１９号公報
【特許文献２】特許第２６１６６５２号公報
【発明の開示】
【発明が解決しようとする課題】
【０００５】
上記した特許文献１に記載の黒挿入駆動では、黒表示用のデータの書き込み時間が長いほどインパルス型表示に近づくため、動画ぼやけを改善することはできるが、明るさが落ちてしまうという課題があったまた、特許文献２に記載されたオーバードライブでは、１フレーム前の映像情報を保持するための記憶容量の大きなフレームメモリと、現在の映像情報を比較するためのルックアップテーブルとが必要となり、コストアップしてしまう場合があった。
【０００６】
本発明は、以上の点に鑑みてなされたものであり、シンプルな構成によって画像ぼやけを抑制することができる画像表示装置の駆動装置、駆動方法、画像表示装置、および投射型表示装置を提供することを目的の一つとする。
【課題を解決するための手段】
【０００７】
本発明の１つの観点では、画像表示領域内に配列された複数の画素を有する画像表示装置を表示駆動するための駆動装置は、現フレームの画像データと、前記現フレームに対して１フレーム前の画像データに対応するデータとに振り分けるデータ振り分け手段と、前記１フレーム前の画像データに対応するデータを記憶する記憶手段と、前記現フレームの画像データを、前記記憶手段に記憶された前記１フレーム前の画像データに対応するデータに基づいてオーバードライブ補正する補正手段と、前記補正手段によってオーバードライブ補正された画像データを前記画像表示装置に対して書き込むと共に、前記オーバードライブ補正された画像データとは別に所定の階調を有するデータを前記画像表示装置に対して書き込む処理を行う書き込み手段と、を備えることを特徴とする。
【０００８】
上記の画像表示装置の駆動装置は、画像表示領域内に配列された複数の画素を有する画像表示装置を表示駆動するために好適に利用される。具体的には、データ振り分け手段は、現フレームの画像データと、当該現フレームに対して１フレーム前の画像データに対応するデータとに振り分け、記憶手段は、１フレーム前の画像データに対応するデータを記憶する。そして、補正手段は、１フレーム前の画像データに対応するデータに基づいて補正する。具体的には、補正手段はオーバードライブを行う。更に、書き込み手段は、オーバードライブ補正された画像データとは別に所定の階調を有するデータを書き込む処理を行う。このような書き込みを行うことにより、前フレームからのスタート階調（前フレームにおいて応答を始める階調）を所定の範囲に限定することができる。これにより、記憶手段と補正手段へ供給するデータの情報量を削減することが可能となる。したがって、上記の画像表示装置の駆動装置によれば、シンプルな構成によって画像ぼやけを抑制することが可能となる。
【０００９】
上記の画像表示装置の駆動装置において好適には、前記データ振り分け手段は、元の画像データが有する情報量を削減することによって生成したデータを、前記１フレーム前の画像データに対応するデータとして出力する。
【００１０】
上記の画像表示装置の駆動装置の一態様では、前記データ振り分け手段は、前記所定の階調を有するデータにおける階調値、及び前記所定の階調を有するデータを書き込む時間の少なくともいずれかに基づいて、前記１フレーム前の画像データに対応するデータを生成する。つまり、前記データ振り分け手段は、書き込み手段によって書き込まれるデータによって削減可能な情報量分を削減した後の画像データを生成する。
【００１１】
上記の画像表示装置の駆動装置の他の一態様では、前記１フレーム前の画像データに対応するデータは、所定の階調によって表現される。これにより、記憶手段の容量を更に効率的に削減することが可能となる。
【００１２】
上記の画像表示装置の駆動装置において、前記書き込み手段は、前記オーバードライブ補正された画像データを書き込む前に前記所定の階調を有するデータを書き込むことによって、前フレームからのスタート階調を所定の範囲に限定することが好ましい。この場合、前記書き込み手段は、前記所定の階調を有するデータを挿入する表示画像上の領域を変化させることによって、前記スタート階調を調整する。
【００１３】
更に好適には、前記書き込み手段は、前記所定の階調を有するデータとして、黒表示用のデータを書き込む。つまり、書き込み手段は、黒挿入駆動を行う。これにより、上記の画像表示装置の駆動装置によれば、黒挿入によるホールド型表示改善とオーバードライブによる液晶応答改善をわずかなコストアップで同時に実現し、良好な動画像を得ることが可能となる。つまり、液晶応答とホールド型表示による動画ぼやけとを同時に改善すると共に、オーバードライブ実現に必要なコストアップ及び黒挿入駆動による明るさ低下を効果的に抑制することができる。
【００１４】
上記の画像表示装置の駆動装置において、前記書き込み手段は、前記所定の階調を有するデータにおける階調値を変化させることによって、前記スタート階調を調整することが好ましい。
【００１５】
また、前記データ振り分け手段はセレクタであり、前記記憶手段はフレームメモリであることが好ましい。
【００１６】
また、上記の画像表示装置の駆動装置は、照明装置と、画像表示装置の駆動装置により変調された光を投射する投射装置と、を備える投射型表示装置に適用することが好ましい。
【００１７】
更に、上記の画像表示装置の駆動装置は、各種の電子機器に好適に適用することができる。
【００１８】
本発明の他の観点では、画像表示領域内に配列された複数の画素を有する画像表示装置を表示駆動するための駆動方法は、現フレームの画像データと、前記現フレームに対して１フレーム前の画像データに対応するデータとに振り分けるデータ振り分け工程と、前記１フレーム前の画像データに対応するデータを記憶する記憶工程と、前記現フレームの画像データを、前記記憶工程で記憶された前記１フレーム前の画像データに対応するデータに基づいてオーバードライブ補正する補正工程と、前記補正工程によってオーバードライブ補正された画像データを前記画像表示装置に対して書き込むと共に、前記オーバードライブ補正された画像データとは別に所定の階調を有するデータを前記画像表示装置に対して書き込む処理を行う書き込み工程と、を備える。上記の画像表示装置の駆動装置の駆動方法によっても、オーバードライブに要するメモリの容量を削減することができ、シンプルな構成によって画像ぼやけを抑制することが可能となる。
【発明を実施するための最良の形態】
【００１９】
以下、図面を参照して本発明の好適な実施形態について説明する。
【００２０】
［装置構成］
図１は、本実施形態に係る画像表示装置の駆動装置を適用した、液晶プロジェクタ１０００の概略構成を示すブロック図である。液晶プロジェクタ１０００は、主に、光源１１００と、ダイクロイックミラー１１０８ａ、１１０８ｂと、反射ミラー１１０６と、リレーレンズ１１２２、１１２３、１１２４と、液晶パネル１４Ｒ、１４Ｇ、１４Ｂと、クロスダイクロイックプリズム１１１２と、投射レンズ系１１１４と、を有する。なお、液晶プロジェクタ１０００は、液晶ライトバルブとして機能する３つの液晶パネル１４Ｒ、１４Ｇ、１４Ｂを用いた、３板式の投射型液晶装置として構成されている。
【００２１】
光源１１００は、照明装置に相当し、メタルハライド等のランプ１１０２とランプ１１０２の光を反射するリフレクタ１１０１とから構成されている。青色光・緑色光反射のダイクロイックミラー１１０８ａは、光源１１００からの白色光のうちの赤色光のみを透過させると共に、青色光と緑色光とを反射する。透過した赤色光は反射ミラー１１０６で反射され、液晶パネル１４Ｒ（以下、「赤色用液晶パネル１４Ｒ」とも呼ぶ。）に入射される。
【００２２】
一方、ダイクロイックミラー１１０８ａで反射された光のうち、緑色光は、緑色光反射のダイクロイックミラー１１０８ｂによって反射され、液晶パネル１４Ｇ（以下、「緑色用液晶パネル１４Ｇ」とも呼ぶ。）に入射される。一方、青色光は、ダイクロイックミラー１１０８ｂも透過する。青色光に対しては、光路長が緑色光、赤色光と異なるのを補償するために、入射レンズ１１２２、リレーレンズ１１２３、出射レンズ１１２４を含むリレーレンズ系からなる導光手段１１２１が設けられ、これらを介して青色光が液晶パネル１４Ｂ（以下、「青色用液晶パネル１４Ｂ」とも呼ぶ。）に入射される。
【００２３】
赤色用液晶パネル１４Ｒ、緑色用液晶パネル１４Ｇ、及び青色用液晶パネル１４Ｂは、いわゆる液晶ライトバルブとして機能する。以下では、これらを区別しないで用いる場合には、単に「液晶パネル１４」と呼ぶ。液晶パネル１４は、一対の透明なガラス基板に電気光学物質である液晶を密閉封入したものである。液晶パネル１４は、供給された画像データに応じて入射光の偏光方向を変調する。なお、液晶パネル１４Ｒ，Ｇ，Ｂは、それぞれ、供給された各色光ごとの画像信号に応じて入射光を変調する。また、液晶パネル１４Ｒ，Ｇ，Ｂは、それぞれが白黒表示の液晶パネルであり、共通の液晶パネルが用いられている。
【００２４】
各液晶パネル１４により変調された３つの光はクロスダイクロイックプリズム１１１２に入射する。このプリズムは、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射光学系である投射レンズ系１１１４によってスクリーン１１２０上に投射され、画像が拡大されて表示される。なお、投射レンズ系１１１４は、投射装置に相当する。
【００２５】
次に、図２を参照して、液晶パネル１４を駆動する回路について説明する。図２は、液晶パネル１４を駆動する走査線駆動回路１１及びデータ線駆動回路１２などの概略構成を示すブロック図である。
【００２６】
図２に示すように、駆動回路１０は走査線駆動回路１１及びデータ線駆動回路１２に対する制御を行うと共に、走査線駆動回路１１及びデータ線駆動回路１２は液晶パネル１４に対する制御を行う。具体的には、駆動回路１０は、クロック信号ｃｌｋと、垂直走査信号ＶＳと、水平走査信号ＨＳと、画像データＤとを取得する。垂直走査信号ＶＳは垂直同期信号に対応し、水平走査信号ＨＳは水平同期信号に対応し、これらは画像データＤ（画像信号）と一緒に入力される。駆動回路１０は、これらの取得した信号に基づいて、スタートパルスＤＹと、走査側転送クロックＣＬＹと、データ転送クロックＣＬＸと、データ信号Ｄｓと、を生成する。スタートパルスＤＹは、走査側（Ｙ側）に対する走査の開始タイミングで出力されるパルス信号である。走査側転送クロックＣＬＹは、走査側（Ｙ側）の水平走査を規定する信号である。データ転送クロックＣＬＸは、データ線駆動回路１２へデータを転送するタイミングを規定する信号である。データ信号Ｄｓは、画像データＤに対応するデータである。なお、駆動回路１０、走査線駆動回路１１、及びデータ線駆動回路１２は、その他にも各種の信号が入出力されるが、本実施形態と特に関係の無いものについては説明を省略する。
【００２７】
走査線駆動回路１１は、駆動回路１０から、スタートパルスＤＹ及び走査側転送クロックＣＬＹを取得し、液晶パネル１４の走査線１４ａに対して走査信号Ｇ１、Ｇ２、Ｇ３、…、Ｇｎを出力する。具体的には、走査線駆動回路１１は、駆動回路１０から供給されるスタートパルスＤＹを走査側転送クロックＣＬＹに従って転送し、走査線１４ａの各々に走査信号Ｇ１、Ｇ２、Ｇ３、…、Ｇｎとして順次排他的に供給するものである。また、データ線駆動回路１２は、駆動回路１０から、データ転送クロックＣＬＸと、データ信号Ｄｓとを取得し、液晶パネル１４のデータ線１４ｂに対してデータ信号ｄ１、ｄ２、ｄ３、…、ｄｍを出力する。
【００２８】
液晶パネル１４（前述した赤色用液晶パネル１４Ｒ、緑色用液晶パネル１４Ｇ、及び青色用液晶パネル１４Ｂに対応する）は、液晶（ＬＣＤ）を含んで構成され、画像信号に規定された画像を表示する。具体的には、液晶パネル１４は、走査線１４ａと、データ線１４ｂと、画素１４ｃとを備える。詳しくは、液晶パネル１４には、ｎ本の走査線１４ａが、図２においてＸ（行）方向に延在して形成され、ｍ本のデータ線１４ｂがＹ（列）方向に沿って延在して形成されている。そして、画素１４ｃは、走査線１４ａとデータ線１４ｂとの各交差に対応して設けられて、マトリクス状に配列されている。なお、各色液晶パネル１４には、分離されたＲＧＢ光がそれぞれ供給されるため、同一の白黒パネル３枚によって構成されている。
【００２９】
［液晶パネルの駆動方法］
次に、本実施形態において、液晶パネル１４に対して行う駆動方法について具体的に説明する。本実施形態では、液晶の応答性を改善するために、現在のフレーム（以下、「現フレーム」と呼ぶ。）の画像における階調に対応する電圧よりも、高い電圧を印加することによって、液晶パネル１４を駆動する。つまり、「オーバードライブ」を用いる。以下で、本実施形態に係るオーバードライブについて具体的に説明する。
【００３０】
本実施形態では、現フレームの画像データと、当該現フレームに対して１フレーム前の画像データに対応するデータとに振り分けて、１フレーム前の画像データに対応するデータをフレームメモリに記憶させる。そして、フレームメモリに記憶された１フレーム前の画像データに対応するデータに基づいて、現フレームの画像データに対してオーバードライブを行う。更に、本実施形態では、オーバードライブを行った画像データを液晶パネル１４に書き込むと共に、この画像データとは別に所定の階調を有するデータを液晶パネル１４に書き込む。具体的には、オーバードライブを行った画像データを書き込む前に、黒表示用のデータを液晶パネル１４に書き込む（つまり、「黒挿入駆動」言い換えると「黒挿入」を実行する）。こうするのは、黒表示用のデータを書き込む表示画像上の領域を変化させることによって、前フレームからのスタート階調を所定の範囲に限定するためである。なお、スタート階調は、前フレームにおいて応答を始める階調（つまり１フレーム前の画像データの階調）に対応する。
【００３１】
上記のような黒挿入駆動を行った場合、液晶パネル１４における透過率は低下する傾向にある。これにより、黒挿入駆動を行った場合の透過率に対応する階調は、黒挿入駆動を行わない場合の元の階調よりも減少すると言える。つまり、前フレームからのスタート階調を所定の範囲に限定することができる。したがって、このような黒挿入駆動を行うことにより、オーバードライブを行う際に用いる１フレーム前のデータとして、元の１フレーム前の画像データではなく、元の画像データが有する情報量を削減することによって生成した画像データを用いることができると言える。つまり、黒挿入駆動を行うことによって削減可能な情報量分を削減した後の画像データを、フレームメモリに記憶させておけば良いと言える。したがって、本実施形態では、元の画像データが有する情報量を削減することによって生成した画像データを、１フレーム前の画像データに対応するデータとしてフレームメモリに記憶させる。つまり、フレームメモリには、１フレーム前の画像データをそのまま記憶させない。そして、このように情報量を削減したデータに基づいて、現フレームの画像データに対してオーバードライブを行う。以上により、本実施形態によれば、シンプルな構成によって画像ぼやけを抑制することが可能となる。また、フレームメモリの容量を削減することができ、オーバードライブ実現に必要なコストアップを削減することが可能となる。
【００３２】
ここで、図３及び図４を参照して、本実施形態に係る液晶パネル１４の駆動方法について具体的に説明する。
【００３３】
図３は、黒挿入駆動を具体的に説明するための図である。図３（ａ）は１垂直期間における垂直走査信号ＶＳを示し、図３（ｂ）はスタートパルスＤＹを示し、図３（ｃ）は走査側転送クロックＣＬＹを示し、図３（ｄ）及び図３（ｅ）は任意の時刻における表示画像例を示している。この例では、図３（ｂ）において、スタートパルスＤＹ１は黒表示用のスタートパルスに対応し、スタートパルスＤＹ２ａ、ＤＹ２ｂは画像表示用のスタートパルスに対応する。なお、ここでは、スタートパルスＤＹ２ａ及びスタートパルスＤＹ２ｂのいずれか一方を用いた場合を例に挙げて説明する。
【００３４】
図３（ｄ）はスタートパルスＤＹ２ａを用いた場合の表示画像を示し、図３（ｅ）はスタートパルスＤＹ２ｂを用いた場合の表示画像を示している。ここで、図３（ｄ）及び図３（ｅ）において、符号Ｂ１ａ、Ｂ１ｂで示す位置は、任意の時刻においてスタートパルスＤＹ１によって走査線が走査されている位置を示しており、符号Ｂ２ａ、Ｂ２ｂで示す位置は、任意の時刻において、それぞれスタートパルスＤＹ２ａ、ＤＹ２ｂによって走査線が走査されている位置を示している。更に、領域Ｒ１ａ、Ｒ１ｂはそれぞれスタートパルスＤＹ１によって黒表示用のデータが書き込まれた黒表示領域を示しており、領域Ｒ２ａ、Ｒ２ｂはそれぞれスタートパルスＤＹ２ａ、ＤＹ２ｂによって画像データが書き込まれた画像表示領域を示している。なお、この例では、液晶パネル１４に対して印加する電圧（駆動電圧）の極性を、所定のタイミングで切り替えている。そのため、表示画像内に、正極性の電圧によってデータが書き込まれた領域（正極性領域）と、負極性の電圧によってデータが書き込まれた領域（負極性領域）とが存在する。
【００３５】
図３（ｄ）及び図３（ｅ）から明らかなように、黒表示領域Ｒ１ａ、Ｒ１ｂは画像表示用のデータで時系列的に書き換えられていることがわかる。また、画像表示用のスタートパルスＤＹ２ａ、ＤＹ２ｂの発生タイミングによって、表示画像において黒表示領域Ｒ１ａ、Ｒ１ｂが占める割合（以下、「黒挿入割合」と呼ぶ。）が異なることがわかる。この例では、黒表示領域Ｒ１ａよりも黒表示領域Ｒ１ｂのほうが、表示画像において占める割合が大きい。言い換えると、スタートパルスＤＹ２ａよりもスタートパルスＤＹ２ｂを用いたほうが、黒挿入を行う時間が長くなると言える。よって、黒表示用のスタートパルスの発生タイミングを変えることにより、黒挿入を行う時間を変化させることができる。即ち、画像表示用のスタートパルスＤＹの発生タイミングを調整することで、黒表示用のデータを書き込む表示画像上の領域を変化させることによって、前フレームからのスタート階調を調整することが可能となる。
【００３６】
図４は、黒表示用のデータを書き込むことによって、オーバードライブに用いる画像データを削減できることを説明するための図である。具体的には、図４（ａ）は、透過率１００％から透過率０％への応答と透過率との関係を示す図である。言い換えると、黒挿入を行う時間（横軸）と液晶の透過率（縦軸）との関係を示している。図４（ｂ）は、入力階調（横軸）と液晶の透過率（縦軸）との関係を示す図である。なお、図４（ａ）及び図４（ｂ）に示すような関係は一例であり、液晶パネル１４の特性によって決まるものである。また、ここでは、１フレームが１６．６（ｍｓ）であり、基準階調は１０ビット（１０２４）である場合を例に挙げている。
【００３７】
図４（ａ）より、例えば黒挿入を２（ｍｓ）行うと、透過率は４０％にまで落ちることがわかる。この透過率４０％は、図４（ｂ）を参照すると、入力階調で「５１２」に相当することがわかる。これより、画像データを書き込む前に上記のような黒挿入を行うことによって、前フレームからのスタート階調を所定の範囲に限定することが可能であることがわかる。つまり、この例で示したような黒挿入を行うことにより、オーバードライブを行う際に用いる１フレーム前のデータとして、元の「１０２４」の入力階調を有する画像データを用いる必要はなく、「５１２」の入力階調を有する画像データを用いれば良いということが言える。言い換えると、黒挿入によって完全に透過率０％まで応答しない場合でも、１０ビットの画像データを９ビットにまで削減した画像データを、オーバードライブに用いることができると言える。この場合、９ビットにまで情報量を削減した画像データを、オーバードライブ用のフレームメモリに記憶させておけば良い。
【００３８】
以上より、本実施形態では、黒表示用のデータを書き込むことで前フレームからのスタート階調を所定の範囲に限定することによって、元の画像データが有する情報量を削減した画像データを用いてオーバードライブを行う。これにより、画像データを記憶するフレームメモリの容量を削減することができ、オーバードライブ実現に必要なコストアップを削減することが可能となる。
【００３９】
このようなオーバードライブは、前述した駆動回路１０によって実行される（図２参照）。ここで、図５を参照して、駆動回路１０の構成について具体的に説明する。
【００４０】
図５は、本実施形態に係る駆動回路１０の概略構成を示すブロック図である。駆動回路１０は、主に、制御部２００と、セレクタ部２０１と、フレームメモリ２０２と、オーバードライブ用ＬＵＴ（ルックアップテーブル）２０３と、Ｄ/Ａコンバータ２０４と、を有する。なお、図５は、駆動回路１０における本願の特徴ある構成部位の主要部の抜粋図を示している。
【００４１】
駆動回路１０は、前述した液晶プロジェクタ１０００などに適用され、液晶パネル１４（前述した赤色用液晶パネル１４Ｒ、緑色用液晶パネル１４Ｇ、及び青色用液晶パネル１４Ｂに対応する）に対する駆動制御を実行する。駆動回路１０は、上記したようなオーバードライブなどを実行し、本発明における画像表示装置の駆動装置として機能する。つまり、駆動回路１０は、本発明におけるデータ振り分け手段、記憶手段、補正手段、及び書き込み手段として機能する。なお、駆動回路１０は、図示しない分周回路や、ＰＬＬ（Phase-locked loop）を含む逓倍回路などを内蔵しており、液晶パネル１４を駆動するために必要な制御信号を生成可能に構成されている。
【００４２】
制御部２００は、前述したクロック信号ｃｌｋと、垂直走査信号ＶＳと、水平走査信号ＨＳ（図２参照）とを取得して、スタートパルスＤＹや、走査側転送クロックＣＬＹや、データ転送クロックＣＬＸなどを生成する。そして、制御部２００は、これらの信号に基づいて、セレクタ部２０１、フレームメモリ２０２、及びＤ/Ａコンバータ２０４を制御するための制御信号を供給する。例えば、制御部２００は、セレクタ部２０１がフレームメモリ２０２に対してデータを書き込むタイミングを規定する制御信号ｓ１を、セレクタ部２０１に対して供給する。
【００４３】
セレクタ部２０１は、画像データＤ１（現フレームの画像データに対応する）を取得して、現フレームの画像データと、当該現フレームに対して１フレーム前の画像データに対応するデータとに振り分ける処理を行う。そして、セレクタ部２０１は、振り分けられた、現フレームの画像データＤ２をオーバードライブ用ＬＵＴ２０３に供給すると共に、１フレーム前の画像データに対応するデータＤ３をフレームメモリ２０２に書き込む。この場合、セレクタ部２０１は、制御部２００から供給される制御信号ｓ１に基づいて、データＤ３をフレームメモリ２０２に書き込む。
【００４４】
具体的には、セレクタ部２０１は、元の画像データが有する情報量を削減することによって生成した画像データを、１フレーム前の画像データに対応するデータＤ３としてフレームメモリ２０２に記憶させる。この場合、セレクタ部２０１は、記憶しているルックアップテーブルに基づいて、データＤ３を生成する。具体的には、セレクタ部２０１は、入力される現フレームの画像データＤ１と出力すべきデータＤ３とが対応付けられたルックアップテーブルを参照して、入力された画像データＤ１に対応するデータＤ３を出力する。このルックアップテーブルには、黒挿入駆動を行うことによって削減可能な情報量分を削減した後のデータが記憶されている。なお、削減可能な情報量とは階調数である。
【００４５】
なお、セレクタ部２０１が用いるルックアップテーブルは、入力される現フレームの画像データＤ１と黒挿入を行う時間（言い換えると黒挿入割合）とに応じて、黒挿入を行った後のデータＤ３の情報量が決まるため、このような関係に基づいて作成される。また、セレクタ部２０１は、黒挿入を行う時間に応じて複数のルックアップテーブルを有することができ、実際に黒挿入を行う時間に基づいて複数のルックアップテーブルを切り替えることができる。こうするのは、黒挿入を行う時間に応じて、黒挿入によって削減可能な情報量が変わるためである。
【００４６】
フレームメモリ２０２は、セレクタ部２０１から供給された１フレーム前の画像データに対応するデータＤ３を記憶する。そして、フレームメモリ２０２は、制御部２００から供給される制御信号ｓ２のタイミングで、記憶しているデータＤ３に対応するデータＤ４をオーバードライブ用ＬＵＴ２０３に対して出力する。
【００４７】
オーバードライブ用ＬＵＴ２０３は、セレクタ部２０１から現フレームの画像データＤ２を取得すると共に、フレームメモリ２０２から１フレーム前の画像データに対応するデータＤ４を取得する。そして、オーバードライブ用ＬＵＴ２０３は、現フレームの画像データＤ２に対してオーバードライブを行う。具体的には、オーバードライブ用ＬＵＴ２０３は、記憶しているルックアップテーブルに基づいてオーバードライブを行う。詳しくは、オーバードライブ用ＬＵＴ２０３は、ルックアップテーブルに基づいて、画像データＤ２とデータＤ４とに対応する画像データＤ５を求め、これをＤ/Ａコンバータ２０４に出力する。そして、Ｄ/Ａコンバータ２０４は、入力された画像データＤ５をデジタル信号からアナログ信号に変換して、これを液晶パネル１４に供給する。
【００４８】
以上説明した駆動回路１０によれば、画像データを書き込む前に黒表示用のデータを書き込むことで前フレームからのスタート階調を限定することによって、フレームメモリ２０２とオーバードライブ用ＬＵＴ２０３への入力ビット数を削減することができる。また、駆動回路１０によれば、黒挿入によるホールド型表示改善とオーバードライブによる液晶応答改善をわずかなコストアップで同時に実現し、良好な動画像を得ることが可能となる。つまり、液晶応答とホールド型表示による動画ぼやけとを同時に改善すると共に、オーバードライブ実現に必要なコストアップ及び黒挿入駆動による明るさ低下を効果的に抑制することができる。
【００４９】
［変形例］
上記では、黒挿入を２（ｍｓ）行う例を示したが（図４参照）、他の例では、２（ｍｓ）よりも長い時間、黒挿入を行うことができる。例えば、図４に示すような表示特性を有する液晶パネル１４に対して４（ｍｓ）の黒挿入を行うことであっても良い。この場合、図４（ａ）に示すように、１フレーム(１６．６ｍｓ)のうち４（ｍｓ）の黒挿入を行うと、透過率は０％まで落ちることがわかる。このような黒挿入を行った場合、１フレーム前の画像データは一律０階調であると仮定することができる。つまり、前フレームは必ず０階調から応答を始めると考えられる。以上より、黒表示用のデータを書き込む時間をある程度長い時間に設定した場合には、オーバードライブを行うために、１フレーム前の画像データに対応するデータをフレームメモリ２０２に保持する必要がなくなると言える（なお、黒表示用のデータを書き込む時間は、液晶パネル１４の表示特性に応じて規定される）。つまり、フレームメモリ２０２を用いずに、オーバードライブを実行する駆動回路を構成することができる。
【００５０】
なお、黒表示用のデータを書き込む時間は、予め決めた時間に固定しても良いし、入力される画像データに応じて変えても良い。入力される画像データに応じて黒表示用のデータを書き込む時間を変える場合には、演算回路などが入力された画像データ等に基づいてフィードバック制御を行うことによって、適切な書き込む時間を決定することができる。そして、セレクタ部は、黒表示用のデータを書き込み時間に対応付けられて記憶されたルックアップテーブルを参照して、決定された時間に応じた量だけ、元の画像データが有する情報量を削減した画像データをフレームメモリに出力する。
【００５１】
また、上記では、オーバードライブを行った画像データとは別に液晶パネル１４に書き込むデータとして、黒表示用のデータを用いるデータを示したが、これに限定はされない。他の例では、黒表示用のデータの代わりに、白表示用のデータを用いることができる。更に他の例では、黒や白以外のグレースケールで表された色を用いることができる。これらのデータを書き込むことによっても、前フレームからのスタート階調を所定の範囲に適切に限定することができる。
【００５２】
更に、液晶パネル１４に書き込むデータの階調を、黒や白などの１つに固定することに限定はされない。他の例では、液晶パネル１４に書き込むデータの階調値を変化させることができる。例えば、グレースケールにおける階調値を変化させることができる。
【００５３】
図６は、液晶パネル１４に書き込むデータの階調値を変化させた場合の具体例を示す図である。図６（ａ）は１垂直期間における垂直走査信号ＶＳを示し、図６（ｂ）はスタートパルスＤＹを示し、図６（ｃ）は走査側転送クロックＣＬＹを示し、図６（ｄ）及び図６（ｅ）は任意の時刻における表示画像例を示している。図６（ｂ）において、スタートパルスＤＹ３は画像表示用とは別に用いるスタートパルスに対応し、スタートパルスＤＹ４は画像表示用のスタートパルスに対応する。具体的には、この例では、スタートパルスＤＹ３を用いて書き込むデータの階調値を変化させる。また、この例では、スタートパルスＤＹ３とスタートパルスＤＹ４との発生タイミングの時間差Ｔ１を固定する。つまり、スタートパルスの発生タイミングを変化させるのではなく、液晶パネル１４に書き込むデータの階調値を変化させる。
【００５４】
具体的には、図６（ｄ）はスタートパルスＤＹ３を用いて書き込むデータとして濃いグレーを用いた場合の表示画像を示し、図６（ｅ）はスタートパルスＤＹ３を用いて書き込むデータとして薄いグレーを用いた場合の表示画像を示している。ここで、図６（ｄ）及び図６（ｅ）において、符号Ｂ３ａ、Ｂ３ｂで示す位置は、任意の時刻においてスタートパルスＤＹ３によって走査線が走査されている位置を示しており、符号Ｂ４ａ、Ｂ４ｂで示す位置は、任意の時刻において、スタートパルスＤＹ４によって走査線が走査されている位置を示している。なお、スタートパルスＤＹ３とスタートパルスＤＹ４との発生タイミングの時間差Ｔ１を固定しているため、符号Ｂ４ａ、Ｂ４ｂで示す表示画像上の位置は概ね同じである。更に、領域Ｒ３ａ、Ｒ３ｂはそれぞれスタートパルスＤＹ３によって所定の階調を有するデータが書き込まれた表示領域を示しており、領域Ｒ４ａ、Ｒ４ｂはそれぞれスタートパルスＤＹ４によって画像データが書き込まれた画像表示領域を示している。なお、この例では、液晶パネル１４に対して印加する電圧（駆動電圧）の極性を、所定のタイミングで切り替えている。そのため、表示画像内に、正極性の電圧によってデータが書き込まれた領域（正極性領域）と、負極性の電圧によってデータが書き込まれた領域（負極性領域）とが存在する。
【００５５】
図６（ｄ）及び図６（ｅ）より、領域Ｒ３ａ、Ｒ３ｂの面積は概ね同一であるが、領域Ｒ３ａ、Ｒ３ｂに対応する表示画像における色の濃さが異なる（つまり階調が異なる）ことがわかる。こうなるのは、スタートパルスＤＹ３とスタートパルスＤＹ４との発生タイミングの時間差Ｔ１を固定しているが、スタートパルスＤＹ３を用いて書き込むデータの階調値を変化させているからである。このように液晶パネル１４に書き込むデータの階調値を変化させることによっても、前フレームからのスタート階調を適切に調整することができる。つまり、前フレームからのスタート階調を所定の範囲に、適切に限定することができる。なお、液晶パネル１４に書き込むデータの階調値は、入力される画像データなどに応じて変えることができる。この場合、書き込むデータの階調値に応じた量だけ元の画像データが有する情報量を削減した画像データを、オーバードライブに用いることができる。
【００５６】
なお、前述した実施形態においては、画像表示装置であるプロジェクタ１０００は、３枚の液晶パネル１４を備えた３板式プロジェクタであるものとして説明したが、例えば、１枚の透過式液晶パネルによってカラー画像を投射する単板式のプロジェクタであっても良い。
【００５７】
また、プロジェクタ１０００の光変調素子である液晶パネル１４は、透過式の液晶ライトバルブであるものとして説明したが、これに限定するものではない。例えば、反射式液晶パネルの一種であるＬＣＯＳ（Liquid Crystal On Silicon）を光変調素子として用いる構成であっても良い。なお、この場合、プロジェクタ１０００の光学系は、ＬＣＯＳに合わせた構成とする必要がある。
【００５８】
更に、上記では、本発明を液晶プロジェクタ１０００に適用した実施形態を示したが、これに限定はされない。つまり、他の電子機器に対しても、本発明を適用することができる。例えば、液晶テレビや、携帯電話や、パーソナルコンピュータ（いわゆるノート型パソコン）などのホールド表示型の電子機器に適用することができる。
【００５９】
これらの構成であっても、前述した実施形態における作用効果と同等の作用および効果を得ることができる。
【図面の簡単な説明】
【００６０】
【図１】液晶プロジェクタの概略構成を示すブロック図である。
【図２】走査線駆動回路、データ線駆動回路などの概略構成を示す図である。
【図３】黒挿入駆動を具体的に説明するための図である。
【図４】黒挿入時間と透過率との関係、及び入力階調値と透過率との関係の一例を示す図である。
【図５】本実施形態に係る駆動回路の概略構成を示すブロック図である。
【図６】液晶パネルに書き込むデータの階調値を変化させた場合を説明するための図である。
【符号の説明】
【００６１】
１０  駆動回路、  １１  走査線駆動回路、  １２  データ線駆動回路、  １４  液晶パネル、  １４ａ  走査線、  １４ｂ  データ線、  １４ｃ  画素、  ２００  制御部、  ２０１  セレクタ部、  ２０２  フレームメモリ、  ２０３  オーバードライブ用ＬＵＴ、  １０００  液晶プロジェクタ
【図１】
2008292905.tif 000003
【図２】
2008292905.tif 000004
【図４】
2008292905.tif 000005
【図５】
2008292905.tif 000006
【図３】
2008292905.tif 000007
【図６】
2008292905.tif 000008